(57)【要約】【課題】画像の閲覧及び選択を容易にするために、デジタルフォトフレームはタッチスクリーンを採用してこの上にユーザインターフェイスを提供することができる。既存のユーザインターフェイスは、写真を閲覧する邪魔になるとともに、ユーザにとって都合良く構成されていない場合がある。【解決手段】デジタル画像フレームが、セレクタ要素からなる第１及び第２の弧を有するユーザインターフェイスを表示するタッチスクリーンを境界するフレームを有する。セレクタ要素の第１の弧を操作して入力ジャンルのルートを設定することができ、第２の弧を操作して、第１のグループ内の要素を使用して選択したジャンルのルートから分岐する入力を選択することができる。個人がそれぞれの弧に沿って手を動かすと、これらの弧が回転して、それまで表示されていなかったセレクタ要素を出現させることができる。【選択図】図１
2010238240.tif 000002
【特許請求の範囲】
【請求項１】
フレームと、
前記フレームに縁取られたタッチスクリーンと、
デジタル画像を記録するコンピュータ可読記憶媒体と、
前記媒体からの少なくとも１つの画像を前記タッチスクリーン上に表示させるとともに該タッチスクリーンからタッチ信号を受信するプロセッサと、
を備え、前記プロセッサは前記タッチスクリーンにユーザインターフェイス（ＵＩ）を表示させ、該ユーザインターフェイス（ＵＩ）は、
各々が複数の目立たないセレクタ要素を有する少なくとも第１及び第２の部分的にアーチ形のリングを含み、個人が個々のセレクタ要素を操作して、該セレクタ要素により表されるそれぞれの選択肢を入力することができ、
前記ユーザインターフェイス（ＵＩ）はさらに、
前記リングの少なくとも一方と並置された少なくとも１つのメニューナビゲーション用矢印を含み、個人が該矢印を操作して、それぞれのセレクタ要素を使用して選択できる選択肢メニューを検索することができる、
ことを特徴とするデジタルフォトフレーム。
【請求項２】
前記第１のリング上の個々のセレクタ要素がルート選択肢を表し、前記第２のリング上の個々のセレクタ要素が、前記第１のリングから選択されたルートの分岐を表す、
ことを特徴とする請求項１に記載のデジタル画像フレーム。
【請求項３】
前記フレームが左右の縁を定め、個々のリングが、直線境界と、該それぞれの境界の第１の端部から該それぞれの境界の第２の端部へ延びるアーチ形セレクタ要素セグメントとを定め、前記第１及び第２のリングの境界が、前記フレームの前記左右の縁とそれぞれ並置されるとともにこれらに対して平行となることにより、個人が自身のそれぞれの親指のみを使用して前記セレクタ要素を適宜操作することができる、
ことを特徴とする請求項１に記載のデジタル画像フレーム。
【請求項４】
ユーザがリングに沿って指を動かし、前記タッチスクリーン上にそれまで表示されていなかったセレクタ要素をあらわにする場合、前記リングが回転するように見えるようにされる、
ことを特徴とする請求項１に記載のデジタル画像フレーム。
【請求項５】
前記フレームは左右の縁を定め、前記第１のリングが、直線境界と、該境界の第１の端部から該境界の第２の端部へ延びる第１のアーチ形セレクタ要素セグメントを定め、前記第２のリングが、前記第１のセレクタ要素セグメントに接するとともにこれと平行に位置する第２のアーチ形セレクタ要素セグメントを定め、前記境界が、前記フレームの前記左右の縁の一方と並置されるとともにこれに対して平行となることにより、個人が自身の左又は右の親指のみを使用して前記セレクタ要素を適宜操作することができる、
ことを特徴とする請求項１に記載のデジタル画像フレーム。
【請求項６】
前記フレームが左右の縁を定め、個々のリングが、直線境界と、該それぞれの境界の第１の端部から該それぞれの境界の第２の端部へ延びるアーチ形セレクタ要素セグメントとを定め、前記第１及び第２のリングの境界が、前記左側の縁と前記右側の縁との中間にある前記デジタル画像フレームの中心線上に表示される、
ことを特徴とする請求項１に記載のデジタル画像フレーム。
【請求項７】
前記フレームが左右の縁を定め、個々のリングが、直線境界と、該それぞれの境界の第１の端部から該それぞれの境界の第２の端部へ延びるアーチ形セレクタ要素セグメントとを定め、該セレクタ要素セグメントの中点が、前記左側の縁と前記右側の縁との中間にある前記デジタル画像フレームの中心線において互いに実質的に正接する、
ことを特徴とする請求項１に記載のデジタル画像フレーム。
【請求項８】
プロセッサによりユーザインターフェイス（ＵＩ）を表示するように制御されるタッチスクリーンであって、
各々がそれぞれの弧の中に配置された少なくとも２つのグループのセレクタ要素を含み、第１のグループのセレクタ要素を操作して入力ジャンルのルートを設定することができ、第２のグループのセレクタ要素を操作して、前記第１のグループ内の要素を使用して選択されたジャンルのルートから分岐する入力を選択することができ、個人が前記それぞれの弧に沿って手を動かすと、少なくとも一方の弧が回転して、それまで表示されていなかったセレクタ要素を出現させることができる、
ことを特徴とするタッチスクリーン。
【請求項９】
前記タッチスクリーンが、デジタル画像フレームにより境界される、
ことを特徴とする請求項８に記載のタッチスクリーン。
【請求項１０】
前記グループの少なくとも一方と並置されるとともに、それぞれのセレクタ要素を使用して選択できる選択肢メニューを通じてナビゲートするために個人が操作することができる少なくとも１つのメニューナビゲーション用矢印を含む、
ことを特徴とする請求項８に記載のタッチスクリーン。
【請求項１１】
前記フレームが左右の縁を定め、個々のグループが、直線境界と、該それぞれの境界の第１の端部から該それぞれの境界の第２の端部へ延びるアーチ形セレクタ要素セグメントとに関連付けられ、前記第１及び第２のリングの境界が、前記フレームの前記左右の縁とそれぞれ並置さるとともにこれらに対して平行となることにより、個人が自身のそれぞれの親指のみを使用して前記セレクタ要素を適宜操作することができる、
ことを特徴とする請求項９に記載のタッチスクリーン。
【請求項１２】
前記フレームは左右の縁を定め、前記第１のグループが、直線境界と、該境界の第１の端部から該境界の第２の端部へ延びる第１のアーチ形セレクタ要素セグメントとに関連付けられ、前記第２のグループが、前記第１のセレクタ要素セグメントに接するとともにこれと平行に位置する第２のアーチ形セレクタ要素セグメントに関係付けられ、前記境界が、前記フレームの前記左右の縁の一方と並置されるとともにこれに対して平行となることにより、個人が自身の左又は右の親指のみを使用して前記セレクタ要素を適宜操作することができる、
ことを特徴とする請求項９に記載のタッチスクリーン。
【請求項１３】
前記フレームが左右の縁を定め、個々のグループが、直線境界と、該それぞれの境界の第１の端部から該それぞれの境界の第２の端部へ延びるアーチ形セレクタ要素セグメントとに関連付けられ、前記第１及び第２のグループの境界が、前記左側の縁と前記右側の縁との中間にある前記デジタル画像フレームの中心線上に表示される、
ことを特徴とする請求項９に記載のタッチスクリーン。
【請求項１４】
前記フレームが左右の縁を定め、個々のグループが、直線境界と、該それぞれの境界の第１の端部から該それぞれの境界の第２の端部へ延びるアーチ形セレクタ要素セグメントとに関連付けられ、該セレクタ要素セグメントの中点が、前記左側の縁と前記右側の縁との中間にある前記デジタル画像フレームの中心線において互いに実質的に正接する、
ことを特徴とする請求項９に記載のタッチスクリーン。
【請求項１５】
フレームと、
前記フレームに縁取られたタッチスクリーンと、
デジタル画像を記録するコンピュータ可読記憶媒体と、
前記媒体からの少なくとも１つの画像を前記タッチスクリーン上に表示させるとともに該タッチスクリーンからタッチ信号を受信するプロセッサと、
を備え、前記プロセッサは前記タッチスクリーンにユーザインターフェイス（ＵＩ）を表示させ、該ユーザインターフェイス（ＵＩ）は、
各々がそれぞれの弧の中に配置された少なくとも２つのグループのセレクタ要素を含み、第１のグループのセレクタ要素を操作して入力ジャンルのルートを設定することができ、第２のグループのセレクタ要素を操作して、前記第１のグループ内の要素を使用して選択されたジャンルのルートから分岐する入力を選択することができ、個人が前記それぞれの弧に沿って手を動かすと、少なくとも一方の弧が、それまで表示されていなかったセレクタ要素を出現させる、
ことを特徴とする装置。
【請求項１６】
前記グループの少なくとも一方と並置されるとともに、それぞれのセレクタ要素を使用して選択できる選択肢メニューを通じてナビゲートするために個人が操作することができる少なくとも１つのメニューナビゲーション用矢印を含む、
ことを特徴とする請求項１５に記載の装置。
【請求項１７】
前記フレームが左右の縁を定め、個々のグループが、直線境界と、該それぞれの境界の第１の端部から該それぞれの境界の第２の端部へ延びるアーチ形セレクタ要素セグメントとに関連付けられ、前記第１及び第２のリングの境界が、前記フレームの前記左右の縁とそれぞれ並置さるとともにこれらに対して平行となることにより、個人が自身のそれぞれの親指のみを使用して前記セレクタ要素を適宜操作することができる、
ことを特徴とする請求項１５に記載の装置。
【請求項１８】
前記フレームは左右の縁を定め、前記第１のグループが、直線境界と、該境界の第１の端部から該境界の第２の端部へ延びる第１のアーチ形セレクタ要素セグメントとに関連付けられ、前記第２のグループが、前記第１のセレクタ要素セグメントに接するとともにこれと平行に位置する第２のアーチ形セレクタ要素セグメントに関係付けられ、前記境界が、前記フレームの前記左右の縁の一方と並置されるとともにこれに対して平行となることにより、個人が自身の左又は右の親指のみを使用して前記セレクタ要素を適宜操作することができる、
ことを特徴とする請求項１５に記載の装置。
【請求項１９】
前記フレームが左右の縁を定め、個々のグループが、直線境界と、該それぞれの境界の第１の端部から該それぞれの境界の第２の端部へ延びるアーチ形セレクタ要素セグメントとに関連付けられ、前記第１及び第２のグループの境界が、前記左側の縁と前記右側の縁との中間にある前記デジタル画像フレームの中心線上に表示される、
ことを特徴とする請求項１５に記載の装置。
【請求項２０】
前記フレームが左右の縁を定め、個々のグループが、直線境界と、該それぞれの境界の第１の端部から該それぞれの境界の第２の端部へ延びるアーチ形セレクタ要素セグメントとに関連付けられ、該セレクタ要素セグメントの中点が、前記左側の縁と前記右側の縁との中間にある前記デジタル画像フレームの中心線において互いに実質的に正接する、
ことを特徴とする請求項１５に記載の装置。
【発明の詳細な説明】
【技術分野】
【０００１】
本発明は、一般にデジタルフォトフレームのためのユーザインターフェイスに関する。
【背景技術】
【０００２】
コンピュータ制御のディスプレイ上にデジタル写真を表示できるデジタルフォトフレームが提供されてきている。これらのフレームは、サイズ及び形状が従来のフォトフレームによく似ているが、ユーザがハードコピーしたアルバムをめくることなく複数の写真を連続して素早く閲覧できるようにし、またユーザがフレームの裏面を取り外してハードコピーした写真を交換する必要なく、フレーム内にある画像を迅速かつ容易に変更できるようにするという利点を有する。
【発明の概要】
【発明が解決しようとする課題】
【０００３】
画像の閲覧及び選択を容易にするために、デジタルフォトフレームはタッチスクリーンを採用してこの上にユーザインターフェイスを提供することができる。既存のユーザインターフェイスは、写真を閲覧する邪魔になるとともに、ユーザにとって都合良く構成されていない場合がある。
【課題を解決するための手段】
【０００４】
本明細書で理解されるように、通常ユーザは、従来のフレームと同じように、すなわち左右の縁に沿って親指を前面に、それ以外の指をフレームの背後に添えてデジタルフォトフレームを掴む。
【０００５】
従って１つの実施形態では、デジタルフォトフレームが、フレームと、フレームに縁取られたタッチスクリーンと、デジタル画像を記録するコンピュータ可読記憶媒体とを含む。プロセッサは、ユーザが媒体から選択した画像をタッチスクリーン上に表示させる。プロセッサはまた、タッチスクリーンからタッチ信号を受信する。プロセッサは、タッチスクリーンに、少なくとも第１及び第２の部分的にアーチ形のリングを含むことができるユーザインターフェイス（ＵＩ）を表示させる。個々のリングは複数の目立たないセレクタ要素を有し、個人が個々のセレクタ要素を操作して、セレクタ要素の表すそれぞれの選択肢を入力することができる。少なくとも１つのメニューナビゲーション用矢印がリングの少なくとも一方と並置され、個人がこれらの矢印を操作して、それぞれのセレクタ要素を使用して選択できる選択肢メニューを検索することができる。
【０００６】
いくつかの実施形態では、第１のリング上の個々のセレクタ要素がルート選択肢を表し、第２のリング上の個々のセレクタ要素が、第１のリングから選択されたルートの分岐を表す。ユーザがリングに沿って指を動かし、それまでタッチスクリーン上に表示されていなかったセレクタ要素をあらわにする場合、リングが回転するように見せることができる。
【０００７】
ＵＩの１つの実施構成では、フレームが左右の縁を定め、個々のリングが、直線境界と、それぞれの境界の第１の端部からそれぞれの境界の第２の端部へ延びるアーチ形セレクタ要素セグメントとを定め、第１及び第２のリングの境界が、フレームの左右の縁とそれぞれ並置されるとともに、これに対して平行となる。このＵＩにより、個人が自身のそれぞれの親指のみを使用してこれらのセレクタ要素を適宜操作することができる。
【０００８】
ＵＩの別の実施構成では、第１のリングが、直線境界と、境界の第１の端部から境界の第２の端部へ延びる第１のアーチ形セレクタ要素セグメントとを定め、第２のリングが、第１のセレクタ要素セグメントに接するとともにこれと平行に位置する第２のアーチ形セレクタ要素セグメントを定め、境界がフレームの左右の縁の一方と並置されるとともに、これに対して平行となる。個人は、自身の左又は右の親指のみを使用してセレクタ要素を適宜操作することができる。
【０００９】
さらに別のＵＩの実施構成では、個々のリングが、直線境界と、それぞれの境界の第１の端部からそれぞれの境界の第２の端部へ延びるアーチ形セレクタ要素セグメントとを定め、第１及び第２のリングの境界が、左右の縁の中間にあるデジタル画像フレームの中心線上に表示される。或いは、アーチ形セグメントを反転させることができ、すなわちセレクタ要素セグメントの中点が、フレームの左右の縁の中間にあるデジタルフォトフレームの中心線において互いに対して実質的に正接することができる。
【００１０】
このＵＩは、デジタルフォトフレームとの使用を対象とした環境を想定するものであるが、モバイル装置、ブックリーダ、及び画像又はテキストを表示できるあらゆるタッチスクリーン装置を含むその他の種類のデジタルフレームに使用することもできる。
【００１１】
別の態様では、タッチスクリーンが、プロセッサによりユーザインターフェイス（ＵＩ）を表示するように制御される。このＵＩは、少なくとも２つのグループのセレクタ要素を含み、個々のグループがそれぞれの弧の中に配置される。第１のグループのセレクタ要素を操作して入力ジャンルのルートを設定できる一方で、第２のグループのセレクタ要素を操作して、第１のグループ内の要素を使用して選択したジャンルのルートから分岐する入力を選択することができる。個人がそれぞれの弧に沿って手を動かすと、少なくとも１つの弧が回転して、それまで表示されていなかったセレクタ要素を出現させることができる。
【００１２】
さらに別の態様では、装置が、フレームと、フレームに縁取られたタッチスクリーンと、デジタル画像を記憶するコンピュータ可読記憶媒体とを含む。プロセッサは、媒体からの少なくとも１つの画像をタッチスクリーン上に表示させる。プロセッサはまた、タッチスクリーンからタッチ信号を受信して、タッチスクリーンに、少なくとも２つのグループのセレクタ要素を有するユーザインターフェイスを表示させる。個々のグループはそれぞれの弧の形に配置される。第１のグループのセレクタ要素を操作して入力ジャンルのルートを設定することができる。この一方で、第２のグループのセレクタ要素を使用して、第１のグループ内の要素を使用して選択したジャンルのルートから分岐する入力を選択することができる。個人がそれぞれの弧に沿って手を動かすと、少なくとも一方の弧が、それまで表示されていなかったセレクタ要素を出現させることができる。
【００１３】
同様の参照番号が同様の部分を示す添付図面を参照して、本発明の詳細を構造及び動作の両方に関して最も良く理解することができる。
【図面の簡単な説明】
【００１４】
【図１】内部構成要素を略示するデジタル画像フレーム例の正面図である。
【図２】ユーザインターフェイス（ＵＩ）により提供されるルート及び分岐の選択肢を示す図１のデジタル画像フレームの正面図である。
【図３】代替のデジタル画像フレーム例の正面図である。
【図４】別の代替デジタル画像フレーム例の正面図である。
【図５】さらに別の代替のデジタル画像フレーム例の正面図である。
【図６】さらに別の代替のデジタル画像フレーム例の正面図である。
【発明を実施するための形態】
【００１５】
まず図１を参照すると、デジタル画像フレーム１０が、図示のように左右の縁１４、１６を定める直線的であってもよい中空フレーム１２を含む。フレーム１２は、例えば左右の縁が卵形などの他の形状を取ることもできる。デジタル画像フレーム１０は、実質的に平坦であるとともに、図示のように左右の縁１４、１６に沿ってユーザの親指を前面に、その他の指を裏面に添えて、図示のようにユーザの左右の手１８、２０によって掴むことができるように、画像フレームのようなサイズにされる。
【００１６】
図１に示す実施形態例では、デジタル画像フレーム１０は、時計２４からの時間入力、並びに以下に限定されるわけではないが、ユニバーサルシリアルバス（ＵＳＢ）インターフェイス２６及び／又は以下に限定されるわけではないが、固体記憶装置又はディスクベースの記憶装置などのコンピュータ可読記憶媒体２８のような様々な供給源からの静止画又は動画データ入力を受信するプロセッサ２２を保持することができる。いくつかの実施形態では、媒体２８は着脱可能であってもよく、例えば媒体２８をメモリカードにより実装することができる。いずれにせよ、例えば媒体２８をカメラに嵌め込み、写真を媒体２８にロードし、その後媒体２８をカメラから取り外してデジタルフォトフレーム１０のレセプタクルに滑り込ませることにより、デジタルカメラからの写真を媒体２８へ直接送ることができる。或いは、カメラ又はその他の写真供給源からＵＳＢインターフェイス２６を通じてデジタル画像フレーム１０内の媒体２８へ写真を転送することができる。
【００１７】
また、プロセッサ２２は、以下に限定されるわけないが、ＷｉＦｉインターフェイスなどの無線又は有線ネットワークインターフェイス３０から入力を受信することができる。以下でさらに説明するように、カメラからの画像に加え、ネットワークインターフェイス３０から受信した画像を表示することもできる。
【００１８】
図示のように、タッチスクリーン３２はフレーム１２により境界される。タッチスクリーン３２は、プロセッサ２２により、媒体２８及び／又はＵＳＢインターフェイス２６及び／又はネットワークインターフェイス３０、或いはプロセッサ２２と通信するその他の供給源からの画像を表示するように制御される。また、ユーザが以下で説明するユーザインターフェイス（ＵＩ）に接触して操作すると、タッチスクリーン３２によりユーザ入力信号が生成され、これらの信号がプロセッサ２２に送信され、プロセッサ２２が、後述するように媒体２８上に記憶されたロジックを実行してＵＩの動作を請け負うとともにＵＩのコマンドに応答することができる。
【００１９】
より具体的には、プロセッサ２２はタッチスクリーン３２に、少なくとも第１及び第２の部分的にアーチ形のリング３４、３６を含むことができるＵＩを表示させることができる。リングは図示のように円形であってもよい。図示の実施形態ではリング３４、３６を見ることができるが、その他の実施形態では、アーチ形に配置されたセレクタ要素のみを見ることができる。
【００２０】
このようにして、個々のリングが複数の目立たないセレクタ要素３８、４０を有し、個人が個々のセレクタ要素３８、４０を操作して、セレクタ要素の表すそれぞれの選択肢を入力することができる。図１及び図２に示す実施形態では、それぞれのメニューナビゲーション用矢印４２がリングの各々と並置され、個人がこれらの矢印を操作して、それぞれのセレクタ要素を使用して選択できる選択肢メニューを検索することができる。例えば、左側の矢印４２をタッチすることにより、以下で説明する階層状のメニューが階層を遡るようにすることができるのに対し、右側の矢印４２をタッチすることにより階層を下るようにすることができる。
【００２１】
いくつかの実施形態では、第１のリング上の個々のセレクタ要素３８がルート選択肢を表し、第２のリング上の個々のセレクタ要素４０が、第１のリングから選択したルートの分岐を表す。従って、ここで図２を参照すると、左側のリング上の「２」の要素を操作することによってジャンル＃２を選択した場合、右側のリング上のセレクタ要素４０は、表示に使用できるこのジャンル内の要素を表す（従って、開示を明確にするために図２のセレクタ要素４０を「２ａ」、「２ｂ」等で表記している）。
【００２２】
一例として、矢印４２を操作して階層のルートへ移動したと仮定されたい。この移動先は「ジャンルのリスト」のルートと見なすことができる。矢印４２をさらに操作することにより、左側のリング内のセレクタ要素３８が「アルバム」、「Ｗｉ−Ｆｉ」、及び「時計」をそれぞれ表すようにすることができる。
【００２３】
「アルバム」を選択したと仮定する。このとき、左側のリング内のセレクタ要素３８は、「アルバム１」、「アルバム２」などの、表示に使用できる写真を含む個々のアルバムを表すことができる。「アルバム１」を選択した場合、右側のリングのセレクタ要素４０は、このアルバム内のそれぞれの写真を示すことができ、ユーザは、タッチスクリーン３２上に表示することが望ましい選択したアルバムからの写真に対応するセレクタ要素４０を操作することができる。このような場合、写真のプレビューをＵＩ上に重ね合わせることができ、或いは選択された写真上にＵＩを重ね合わせることができる。ＵＩがタイムアウトするか、又はユーザの命令により、ＵＩは、例えばユーザが再びスクリーン３２に触れてＵＩを呼び出したいという要望を示すなどの時点まで隠れることができる。
【００２４】
ユーザが「ＷｉＦｉ」へと操作した場合、右側のリング内のセレクタ要素４０を、それぞれのＷｉＦｉチャネルの番号に相関させることができる。同様に、デジタル時計を有するデジタル画像フレームでは、ユーザが「時計」へと操作した場合、右側のリング内のセレクタ要素を「時間設定」、「分設定」、「秒設定」に対応させることができ、その後矢印要素４２を操作して適当に時間を設定することができる。
【００２５】
リング毎に４つのセレクタ要素を示しているが、個々のリングは、実際には表示しているものよりも多くのセレクタ要素を含むことができる。これらの状況下では、隠れたセレクタ要素を表示するために、ユーザがリングに沿って指を動かして、それまでタッチスクリーン上に表示されていなかったセレクタ要素をあらわにする場合、リング（又は同等に関連するセレクタ要素の弧）が回転するように見せることができる。
【００２６】
図１及び図２に示すように、個々のリング３４、３６は、アーチ形セレクタ要素セグメントに加えてそれぞれの直線境界４４、４６を定め、アーチ形セレクタ要素セグメントがこの直線境界の端部から端部へ延びる。図１及び図２に示す実施形態では、境界４４、４６は、それぞれフレームの左右の縁１４、１６と並置されるとともに、これらに対して平行となる。実際に境界４４、４６は、図示のようにタッチスクリーン３２の左右の縁に沿って位置する。このＵＩにより、個人が自身のそれぞれの親指のみを使用してこれらのセレクタ要素を適宜操作することができる。
【００２７】
ＵＩの別の実施構成では、及びここで図３及び図４を参照してわかるように、セレクタ要素５２の第１のリング５０が、直線境界５４と、この境界の端部から端部へ延びる第１のアーチ形セレクタ要素セグメント５６とを定める。この実施構成では、第２のリング５８が、第１のセレクタ要素セグメント５６に接するとともにこれと平行に位置する第２のアーチ形セレクタ要素セグメント６０を定める。直線境界５４は、デジタルフォトフレーム６２の左側の縁（図３）又は右側の縁（図４）と並置されるとともに、これらに対して平行となる。この配列により、個人が自身の左又は右の親指のみを使用してセレクタ要素を適宜操作することができる。
【００２８】
図５及び図６は、フレームの左右の縁からＵＩを離し、必要な場合に１本指で操作するためにタッチスクリーンの真ん中に配置できることを示している。より具体的には、まず図５では、上述したように機能する２つのリング７０、７２の各々が、直線境界７４と、それぞれの境界の第１の端部からそれぞれの境界の第２の端部へ延びるアーチ形セレクタ要素セグメントを定めることができ、第１のリングと第２のリングとの境界は、左側の縁７６と右側の縁７８との中間に存在するデジタル画像フレームの中心線上に表示される。換言すれば、個々の半円形のリングが他方と向き合って完全な円を確立し、右側の半円内のセレクタ要素が図１及び図２のセレクタ要素４０として機能し、左側の半円内のセレクタ要素がセレクタ要素３８として機能する。或いは、図６に示すようにアーチ形セグメントを反転させることができ、すなわちセレクタ要素セグメントの中点８０、８２が、フレームの左側の縁と右側の縁との中間に存在するデジタル画像フレームの中心線において互いに対して実質的に正接することができる。
【００２９】
必要な場合、設定モードにおいて、上述したＵＩのいずれか１つをユーザが選択できるようにする「ＵＩ設定」オプションをユーザに与えることができる。
【００３０】
かくして、本原理により、プレビューのために写真と同時に表示することができ、いくつかの実施形態では２本の親指のみによるＵＩの対話操作に十分に適した目立たないＵＩが提供されることが理解できよう。本原理は、整った上品なＵＩ設計で選択肢を閲覧するための簡単な方法を提供するものである。
【００３１】
本明細書では、特定の「デジタルフォトフレームのためのユーザインターフェイス」を示し、詳細に説明したが、本発明に含まれる対象は特許請求の範囲によってのみ限定されることを理解されたい。
【図１】
2010238240.tif 000003
【図２】
2010238240.tif 000004
【図３】
2010238240.tif 000005
【図４】
2010238240.tif 000006
【図５】
2010238240.tif 000007
【図６】
2010238240.tif 000008